(57)【要約】【課題】  携帯電話機に、動画像から構成されるテレビ番組の予告情報を配信する。【解決手段】    テレビ番組の番組予告情報を蓄積する映像蓄積サーバ３ａ、３ｂと、番組予告情報の配信要求を番組に設定されたＧコードに基づいて行なうユーザーの携帯電話機２ａ等と、携帯電話機２からの番組の予告情報の配信要求の受信と配信制御を行なう管理サーバ１を備えている。管理サーバ１は、予め設定した複数の固有の管理識別番号ごとに、番組に設定されるＧコードとこのＧコードが設定された番組の番組予告情報を記憶する映像蓄積サーバ３ａ、３ｂのＵＲＬとを関連付けして登録した番組予告情報配信管理データベースＤ１と、携帯電話機２ａ等からの配信要求により取得したＧコードに関連付けしてこのデータベースＤ１に登録されている映像蓄積サーバのＵＲＬを求め、求めた映像蓄積サーバのＵＲＬに記憶されている番組予告情報を携帯電話機２ａ等への配信の制御を行なう番組情報配信制御手段を備えている。【選択図】図１
2007135169.tif 000002
【特許請求の範囲】
【請求項１】
テレビ番組の予告情報を蓄積する映像蓄積サーバと、前記番組予告情報の配信要求を前記番組に設定されたＧコードに基づいて行なうユーザーの端末装置と、前記ユーザーの端末装置からの前記配信要求の受信と前記端末装置への前記番組予告情報の配信制御を行なう管理サーバを備えた番組の予告情報提供システムであって、
前記管理サーバは、
予め設定した複数の固有の管理識別番号ごとに、前記番組に設定される前記Ｇコードと該Ｇコードが設定された前記番組の番組予告情報を記憶する映像蓄積サーバのＵＲＬとを関連付けして登録した番組予告情報配信管理データベースと、
前記ユーザーの端末装置からの前記配信要求により取得した前記Ｇコードに関連付けして前記番組予告情報配信管理データベースに登録されている前記映像蓄積サーバのＵＲＬを求め、前記求めたＵＲＬに記憶されている前記番組予告情報を前記ユーザーの端末装置への配信を制御する番組情報配信制御手段と、
を備えていることを特徴とする番組の予告情報提供システム。
【請求項２】
前記番組予告情報の提供システムは、編成された前記番組に設定される前記Ｇコードと共に、少なくとも該設定されたＧコードに対応する前記番組の番組予告情報を記憶した映像蓄積サーバのＵＲＬを、前記管理サーバに送信する番組情報提供装置を備え、
前記管理サーバは、前記番組情報提供装置から受信した前記Ｇコードを、同じく受信した映像蓄積サーバのＵＲＬと関連付けして前記番組情報配信管理データベースに記憶するＧコード登録手段を備えていることを特徴とする請求項１に記載の番組の予告情報提供システム。
【請求項３】
前記ユーザーの端末装置は携帯電話機であることを特徴する請求項１に記載の番組の予告情報提供システム。
【請求項４】
前記番組予告情報は、動画像を含むことを特徴とする請求項１に記載の番組の予告情報提供システム。
【請求項５】
前記番組予告情報は、動画像と広告情報を含むことを特徴とする請求項１に記載の番組の予告情報提供システム。
【請求項６】
前記番組の予告情報提供システムは、前記番組名を該番組に設定されたＧコードと共に番組表として印刷する番組表印刷手段を備え、該Ｇコードが前記映像蓄積サーバのＵＲＬに記憶された番組の予告情報と判定されると、該Ｇコードは識別マークを付して印刷されることを特徴とする請求項１に記載の番組の予告情報提供システム。
【請求項７】
前記固有の管理識別番号は、前記テレビ番組を放映するテレビ会社ごとに予め付与されることを特徴とする請求項１に記載の番組の予告情報提供システム。
【発明の詳細な説明】
【技術分野】
【０００１】  本発明は、インターネットを介してユーザーの携帯電話機にテレビ番組の予告情報を動画像と共に配信する番組の予告情報提供システムに関するものである。
【背景技術】
【０００２】  従来から、ビデオ装置にテレビ番組の録画の予約を行なうために、Ｇコード（登録商標）が用いられている。Ｇコードは、日時、テレビのチャンネル番号、開始時刻、終了時刻を表した最大８桁の数字から構成されている。現在、新聞やテレビ番組を紹介する情報誌等の印刷物に印刷されているテレビの番組表には、番組ごとにこの番組に設定されたＧコードが印刷されている。そして、ビデオ装置にこのＧコードを入力して登録すると、希望する番組の録画が予約され、予約した番組の開始時刻になると予約した番組が自動的に録画されるようになっている。【０００３】  このように、従来からＧコードは、ビデオ装置に対してテレビ番組を予約する手段として広く実用化されている。このＧコードを他の用途に応用した情報提供システムとして、例えば、下記の特許文献１に記載の発明が提案されている。【０００４】
【特許文献１】  特開２００２−３５４４４５号公報
【０００５】  特許文献１に記載の発明には、次のような情報提供システムが開示されている。
すなわち、ユーザーは携帯電話機からインターネットに接続されている管理装置をアクセスしてＧコードを送信する。管理装置は、Ｇコードと関連付けして番組関連情報を記憶したデータベースを備えている。そして、管理装置は、管理装置をアクセスしたユーザーの携帯電話機に、この受信したＧコードに関連付けされてデータベースに記憶された番組関連情報を配信するようにした情報提供システムである。【０００６】  さらに、特許文献１には、番組関連情報としてはドラマ番組における登場人物やストーリー等の情報、スポーツ番組における選手の成績等の情報、広告情報等を配信することが記載されている。
【発明の開示】
【発明が解決しようとする課題】
【０００７】  上記特許文献１に記載の発明においては、番組関連情報として動画像をユーザーの携帯電話機に提供することについては記載されていない。さらに、番組関連情報をユーザーの携帯電話機に配信するために、テレビ局が製作した番組関連情報をＧコードと関連付けして管理装置等にアップロードする具体的な手段等については、記載されていない。【０００８】  そこで、本発明の目的は、テレビ局で作成した動画像を含む番組の予告に関する情報（音声を含む映像等）を有効に活用して、この番組の予告情報を番組に設定されたＧコードを利用してユーザーの携帯電話機等に配信制御することにより、テレビ番組の放映前の番組のＰＲを有効に行なうことができるテレビ番組に関する予告情報提供システムを提供することにある。
【課題を解決するための手段】
【０００９】  本発明は、テレビ番組の予告情報を蓄積する映像蓄積サーバと、前記番組予告情報の配信要求を前記番組に設定されたＧコードに基づいて行なうユーザーの端末装置と、前記ユーザーの端末装置からの前記配信要求の受信と前記端末装置への前記番組情報の配信制御を行なう管理サーバを備えた番組の予告情報提供システムであって、
前記管理サーバは、
予め設定した複数の固有の管理識別番号ごとに、前記番組に設定される前記Ｇコードと該Ｇコードが設定された前記番組の番組予告情報を記憶する映像蓄積サーバのＵＲＬとを関連付けして登録した番組予告情報配信管理データベースと、
前記ユーザーの端末装置からの前記配信要求により取得した前記Ｇコードに関連付けして前記番組予告情報配信管理データベースに登録されている前記映像蓄積サーバのＵＲＬを求め、前記求めたＵＲＬに記憶されている前記番組予告情報を前記ユーザーの端末装置への配信を制御する番組情報配信制御手段と、
を備えている番組の予告情報提供システムである。【００１０】  さらに、本発明は、前記番組予告情報の提供システムは、編成された前記番組に設定される前記Ｇコードと共に、少なくとも該設定されたＧコードに対応する前記番組の番組予告情報を記憶した映像蓄積サーバのＵＲＬを、前記管理サーバに送信する番組情報提供装置を備え、
前記管理サーバは、前記番組情報提供装置から受信した前記Ｇコードを、同じく受信した映像蓄積サーバのＵＲＬと関連付けして前記番組情報配信管理データベースに記憶するＧコード登録手段を備えている番組の予告情報提供システムである。
この組情報提供装置は、テレビ局側が所有するＷｅｂサーバ、またはインターネットに接続されたパーソナルコンピュータから構成される端末装置である。【００１１】  さらに、本発明は、前記ユーザーの端末装置は携帯電話機である番組の予告情報提供システムである。【００１２】  さらに、本発明は、前記番組予告情報は、動画像を含んでいる番組の予告情報提供システムである。【００１３】  さらに、本発明は、前記番組予告情報は、動画像と広告情報を含んでいる番組の予告情報提供システムである。【００１４】  さらに、本発明は、前記番組の予告情報提供システムは、前記番組名を該番組に設定されたＧコードと共に番組表として印刷する番組表印刷手段を備え、該Ｇコードが前記映像蓄積サーバのＵＲＬに記憶された番組の予告情報と判定されると、該Ｇコードは識別マークを付して印刷される番組の予告情報提供システムである。【００１５】  さらに、本発明は、前記固有の管理識別番号は、前記テレビ番組を放映するテレビ会社ごとに予め付与される番組の予告情報提供システムである。
【発明の効果】
【００１６】  本発明は、次のような効果を有している。
（１）従来では、数日先から数週間先等に放映されるテレビ番組の予告映像は、通常のテレビ番組を通して稀しか視聴することができなかった。本発明を利用すると、テレビ視聴者は、何時でも、何処からでも気楽に、このテレビ番組の予告情報を、携帯電話機を利用して動画像として視聴することが可能になる。これにより、テレビ視聴者等のユーザーは、テレビ番組に対する関心が高くなり、その結果として、テレビ番組の視聴率の向上を計ることが可能になる。【００１７】  （２）番組の予告情報を動画像として配信する場合、番組の予告情報の前、または前と終了した後に数秒間ほど、広告情報を配信することも可能になる。これにより、本システムを管理するシステム管理者、あるいは、広告情報を作成する広告代理店は、広告主から広告料の収入を得ることが可能になる。【００１８】  （３）各テレビ局や新聞社等の番組表を刊行物に印刷して発行する企業が本システムを利用することにより、ユーザーは、何時でも気楽にテレビ番組の予告情報を事前に視聴することができる極めて有益な情報提供システムを構築することができる。
【発明を実施するための最良の形態】
【００１９】  以下、本発明を実施するための形態について説明する。図１は、本発明のシステムを実施するためのシステム構成の一例を示す図である【００２０】  図１において、１は管理サーバ、１ａはパーソナルコンピュータから構成される端末装置であって、管理サーバ１が備えている各種のデータベース等をメンテナンスするために使用する端末装置である。【００２１】  ２ａ〜２ｃはユーザーの携帯電話機であって、テレビ番組の予告情報の配信要求と視聴を行うための端末装置である。携帯電話機２ａ〜２ｃは、ブラウザプログラムを備えてインターネット接続機能を有すると共に、動画像を再生する機能を備えている携帯電話機であって、３ＧＰＰ（３ｒｄ  Ｇｅｎｅｒａｔｉｏｎ  Ｐａｒｔｎｅｒｓｈｉｐ  Ｐｒｏｊｅｃｔ）の仕様に準拠した機能を備えていることが望ましい。なお、端末装置２ａ〜２ｃは、パーソナルコンピュータから構成され、プラウザプログラムを備えてインターネット接続機能を有する端末装置としてもよい。【００２２】  ３ａ〜３ｂは、映像蓄積サーバである。映像蓄積サーバ３ａ〜３ｂは、テレビ局で作成した番組の予告情報に関するデータを蓄積（記憶）するサーバである。この番組の予告情報は、映画、ドラマ、旅番組等について、予め撮像された音声を含む映像データを携帯電話機やパーソナルコンピュータで視聴可能なデータ形式に変換し、その視聴時間が２０〜３０秒程度になるように編集された映像データである。また、この映像データの前、あるいは前と後に視聴時間が５秒程度の広告（コマーシャル）映像を含めるように編集してもよい。
なお、番組の予告情報は、動画像の他に静止画像を含めてもよい。さらに、広告情報についても、動画像や静止画像を含めてもよい。【００２３】  映像蓄積サーバ３ａ〜３ｂに記憶する番組の予告情報、および広告映像を含む番組の予告情報は、後記するテレビ局側Ｗｅｂサーバ４に、あるいは、図１には示していないが、テレビ局が所有している他の端末装置から映像蓄積サーバ３ａ〜３ｂにアップロードする。【００２４】  ４はテレビ局が所有しているＷｅｂサーバまたは端末装置（以下、テレビ局側Ｗｅｂサーバという）であって、主としてテレビ局で予め製作した番組表に関する各種のデータを、データベースとして記憶している。このデータベースについては後記する。【００２５】  ５は、新聞社、テレビ番組に関する情報誌を発行する企業、あるいは広告宣伝会社等が所有しているＷｅｂサーバまたは端末装置（以下、番組表発行側Ｗｅｂサーバという）であって、テレビ局側Ｗｅｂサーバ４から送信された番組情報であって、新聞や情報誌に印刷する各テレビ局のテレビ番組を印刷するためのデータ（番組表データ）を記録している。
図１には、番組表発行側Ｗｅｂサーバ５は１台のみ図示しているが、企業ごとにＷｅｂサーバ５を備えている。【００２６】  なお、番組表発行側Ｗｅｂサーバ５に記憶する番組表データは、例えば、図３に示す番組情報データベースＤ２をテレビ局側Ｗｅｂサーバ４から定期的に番組表発行側Ｗｅｂサーバ５にインターネット９を介して送信するようにする。また、番組表発行側の企業は、番組表発行側Ｗｅｂサーバ５に記憶している番組表データに基づいて、テレビ番組の番組表を、例えば、日々、新聞、あるいは情報誌等に印刷するための印刷手段を備えている。【００２７】  ６ａ〜６ｂは携帯電話サービス会社の地上基地局、７ａ〜７ｂは携帯電話サービス会社のインターネット接続用サーバ、８はインターネット・サービス・プロバイダー（ＩＳＰ）のサーバ、９はインターネット通信網である。なお、以下の説明において、ユーザーの端末装置２ａ〜２ｃを代表して説明するときには、「携帯電話機２」と記載する。【００２８】  管理サーバ１は、図２に示すデータ構成を有する番組予告情報配信管理デーダベースＤ１と、ユーザーの携帯電話機２から番組予告情報の配信要求を受付けるための配信要求受付用Ｗｅｂページと、このＷｅｂページにより受信した配信要求について、番組予告情報配信管理デーダベースＤ１を検索して映像蓄積サーバ３ａ、３ｂに蓄積されている番組予告情報を携帯電話機２に配信制御するための番組情報配信制御プログラムを備えている。さらに、管理サーバ１は、テレビ局側Ｗｅｂサーバ４から送信された番組情報に基づいて、番組予告情報配信管理デーダベースＤ１に記憶するデータを更新する処理を行なうＧコード登録プログラムを備えている。【００２９】  管理サーバ１が備えている番組予告情報配信管理デーダベースＤ１は、図２に示すように、管理識別番号（以下、チャンネル番号という）ｄ１ごとに、映像蓄積サーバのＵＲＬ（ｕｎｉｆｏｒｍ  Ｒｅｓｏｕｒｃｅ  Ｌｏｃａｔｏｒ）（ｄ２）、Ｇコードｄ３、テレビ局名、・・・等に関するデータが記憶されているデータベースである。【００３０】  番組予告情報配信管理デーダベースＤ１に記憶するチャンネル番号ｄ１とは、本発明のシステムの運営・管理を行なうシステム管理者、例えば、管理サーバ１の管理者が、予め設定した所定の桁数を有する数字、または英数字からなる固有の識別番号を示す。これら一つ一つのチャンネル番号ｄ１は、固有の番号になるように設定されている。
そして、システム管理者は、本システムを利用して番組の予告情報の配信を契約したテレビ局に対して、複数のチャンネル番号ｄ１を付与する。テレビ局に付与するこのチャンネル番号ｄ１の数は、例えば、１〜３ケ月先の番組について、この番組に関する番組の予告情報を映像蓄積サーバ３ａ、３ｂにアップロードする番組の数程度にする。【００３１】  同じく、映像蓄積サーバのＵＲＬ（ｄ２）とは、番組に関する番組予告情報を記憶する映像蓄積サーバ３ａ、３ｂのＵＲＬを示す。このＵＲＬは、番組予告情報のデータを記憶する映像蓄積サーバ１３ａ、１３ｂのスキーム名（ｈｔｔｐ）、ドメイン名（ｗｗｗ．・・・）、ディレクトリ（ファイル名）を表している。【００３２】  システム管理者は、予め、テレビ局に付与するチャンネル番号ｄ１を決定すると、このチャンネル番号ｄ１ごとに映像蓄積サーバのＵＲＬ（ｄ２）を割り付けて、この情報を番組予告情報配信管理デーダベースＤ１に登録する。また、システム管理者は、この割り付けたチャンネル番号ｄ１と映像蓄積サーバのＵＲＬ（ｄ２）とを関連付けしたデータを、インターネット９を介してテレビ局のＷｅｂサーバ４に送信する。これにより、テレビ局側は、付与されたチャンネル番号ｄ１ごとに番組に関する番組予告情報をアップロードする映像蓄積サーバ３ａ、３ｂのＵＲＬを前もって認識することができる。【００３３】  同じく、Ｇコードｄ３とは、映像蓄積サーバのＵＲＬ（ｄ２）に記憶されている番組予告情報に対応する番組に設定されているＧコードを示す。
なお、このＧコードの設定は、例えば、テレビ局が向こう１〜数ケ月先の番組を編成したときに、この番組データに基づいてテレビ局側のコンピュータ、または、Ｇコード設定サービス会社のコンピュータにより番組ごとに設定され、この設定した情報は、インターネット９を介してテレビ局側に送信される。【００３４】  テレビ局側Ｗｅｂサーバ４は、図３に示すデータ構成の番組情報データベースＤ２を備えている。番組情報データベースＤ２は、向こう１〜数ケ月先までに編成された番組について、例えば、放送する年月日時・分ｄ５ごとに、番組名ｄ６、前記したチャンネル番号ｄ１、前記した映像蓄積サーバのＵＲＬ（ｄ２）、アップロード区分ｄ７、前記したＧコードｄ３、・・・、等に関する情報を記録したデータベースである。【００３５】  番組情報データベースＤ２に記憶する放送する年月日時・分ｄ５とは、編成した番組ごとに、この番組の放送の開始と終了時間を示す。番組名ｄ６とはこの番組に付与された番組名を示す。また、アップロード区分ｄ７とは、この番組に関する番組予告情報が、既に映像蓄積サーバ３ａ、３ｂにアップロードされているか否かを示す情報であって、例えば、アップロード済みの場合には「１」、アップロードしていない場合には「０」が記憶されるようにする。【００３６】  テレビ局側で、テレビ局側Ｗｅｂサーバ４または他の端末装置に記憶している番組に関する番組予告情報を、番組情報データベースＤ２に記憶されている映像蓄積サーバ３ａ、３ｂの何れかのＵＲＬにアップロードすると、アップロード区分ｄ７に「１」を記憶する処理を行なうようにする。【００３７】  テレビ局側で番組が編成されるごとに、この番組情報データベースＤ２を構成するデータ項目のうち、Ｇゴードを除いたデータがＧコードを作成するコンピュータに送信されて、各番組の放送年月日時・分ｄ５とこのテレビ局のテレビ放送チャンネル番号とに基づいてＧコードが設定される。そして、新規にＧコードが設定された番組データはテレビ局側Ｗｅｂサーバ４に送信されて、プログラム処理により番組情報データベースＤ２を更新する処理を行なう。このようにして、番組情報データベースＤ２のＧコードｄ３欄には、Ｇコード作成コンピュータにより作成されたＧコードが記憶される。【００３８】  テレビ局側Ｗｅｂサーバ４は、さらに、図４に示す番組予告情報登録データベースＤ３を備えている。番組予告情報登録データベースＤ３は、図３に示す番組情報データベースＤ２に記憶されている各番組データから、アップロード区分ｄ７に「１」が記憶されている番組に関するデータを選択して作成したデータベースである。従って、番組情報データベースＤ２に記憶されている番組データは、この番組に関する番組の予告情報が、既に映像蓄積サーバ３ａ、３ｂの何れかにアップロードされたことを示す番組データ群から構成される。【００３９】  なお、番組予告情報登録データベースＤ３を構成するデータ項目は、少なくとも、番組の予告情報をアップロードした映像蓄積サーバのＵＲＬ（ｄ２）と、このアップロードした番組の予告情報に対応する番組に設定されたＧコード（ｄ３）を記憶するようすればよいが、さらに、図４に示すようにチャンネル番号ｄ１も記録してもよい。また、番組予告情報登録データベースＤ３のデータも、毎日、テレビ局側Ｗｅｂサーバ４から、管理サーバ１と番組表発行側Ｗｅｂサーバ５に送信するようにする。【００４０】  管理サーバ１テレビ局側Ｗｅｂサーバ４から番組予告情報登録データベースＤ３を受信すると、Ｇコード登録プログラムにより、受信した映像蓄積サーバのＵＲＬ（ｄ２）、またはチャンネル番号ｄ１に対応して番組予告情報登録データベースＤ１のＧコードｄ３欄に、受信したＧコードの情報を記録する処理を行なう。【００４１】  番組表発行側Ｗｅｂサーバ５は、テレビ局側Ｗｅｂサーバ４から受信した番組情報データベースＤ２および番組予告情報登録データベースＤ３から、日々の番組表を印刷するための番組印刷用データを作成し、この番組印刷用データを、番組表を印刷するプログラム（番組表印刷手段）を備えた印刷機の制御装置に送信する。これにより、新聞社や情報誌等を発行する企業が備えている印刷機は、図６に示すようなテレビ番組表Ｂを新聞、情報誌に印刷することができる。【００４２】  図６に示すテレビ番組表Ｂは、テレビ局の放送チャンネル番号ごとに放映時間に対応して番組名とこの番組名に設定されたＧコードｂ１を印刷した番組表である。本発明においては、このＧコードｂ１に対応する番組の番組予告情報が映像蓄積サーバ３ａ、３ｂに記憶されている場合には、Ｇコードｂ１の近傍に識別マークｂ２を付して印刷することに特徴がある。この識別マークｂ２を付して印刷するか否かの判定は、テレビ局側Ｗｅｂサーバ４から受信した番組予告情報登録データベースＤ３に記憶されているＧコードｄ３に対応する番組予告情報は、既に映像蓄積サーバ３ａ、３ｂに記憶されているので、番組予告情報登録データベースＤ３をプログラム処理により参照することにより可能である。【００４３】  図６に示す例では、この識別マークｂ２として星印を印刷している。このようにテレビ番組表Ｂに印刷したＧコードｂ１の左側等の近傍に識別マークｂ２を印刷すると、この番組表Ｂを閲覧したユーザーは、一目でこの番組に関する番組予告情報を携帯電話機２により視聴可能であることを認識することができるようになる。【００４４】  続いて、図１に示す本発明の番組の予告情報提供システムについて、携帯電話機２を所有しているユーザーが番組の予告情報を視聴するための手順について説明する。この視聴するための手順とそれに伴って本システムが処理する内容は、下記の（手順１）〜（手順３）に記載のようになる。【００４５】（手順１）
図５に示すテレビの番組表Ｂを閲覧したユーザーは、携帯電話機２を使用して管理サーバ１が公開する本システムを利用するためのＷｅｂページをアクセスする。すると、管理サーバ１の番組情報配信制御プログラムは、図６に示す配信要求用ＷｅｂページＲを携帯電話機２の画面に表示する処理を行なう。配信要求用ＷｅｂページＲは、管理サーバ１に対して番組の予告情報の配信要求を行なうためのＷｅｂページである。【００４６】（手順２）
続いて、ユーザーは、番組表Ｂを閲覧して番組の予告情報の視聴を行ないたい番組について、この番組に設定されたＧゴードｂ１であって、識別マークｂ２が印刷されているＧコードｂ１を、配信要求用ＷｅｂページＲの枠ｒ１内に入力して、「動画受信」枠ｒ２を携帯電話機２の押しボタン操作によりクリックして指定する。管理サーバ１の番組情報配信制御プログラムは、このクリック信号を取得すると、携帯電話機２から番組の予告情報の配信要求が発生したと判定し、要求された番組の予告情報の配信制御に対する処理を行なう。【００４７】  上記（手順２）により、管理サーバ１が携帯電話機２から番組の予告情報の配信要求を受信すると、番組情報配信制御プログラムはその配信制御を次の（手順３）により処理する。【００４８】（手順３）
配信要求用ＷｅｂページＲから取得したＧコードｂ１が、番組予告情報配信管理データベースＤ１に予め登録されているか否かを判定する。そして、予め登録されていると判定された場合には、このＧコードｂ１に対応して番組予告情報配信管理データベースＤ１に登録されている映像蓄積サーバのＵＲＬ（ｄ２）を読み取って管理サーバ１の内部記憶装置に記憶する処理を行なう。この内部記憶装置に記憶した映像蓄積サーバのＵＲＬ（ｄ２）のデータが、ユーザーが配信要求した番組の予告情報を記憶している映像蓄積サーバ３ａ、３ｂのアドレスになる。これにより、番組情報配信制御プログラムは、内部記憶装置に記憶した映像蓄積サーバのＵＲＬ（ｄ２）のデータを配信要求を行なった携帯電話機２に送信することにより、携帯電話機２に搭載されているブラウザプログラムは、映像蓄積サーバのＵＲＬ（ｄ２）のデータとリンクを取ることにより、ユーザーは携帯電話機２の画面に配信要求した動画像から構成される番組の予告情報等を視聴することができる。【００４９】  前記したように、携帯電話機２に配信する番組の予告情報のデータの前、または前と後に数秒程度の広告情報も編集して一つの番組の予告情報のファイルとしておくと、ユーザーはこの広告情報も視聴することになるので、そのコマーシャル効果を得ることが可能になる。特に、番組の予告情報に関する動画像の表示が終了すると、続いて、広告情報の静止画像を数秒間表示するようにすると、さらに、ユーザーに対するコマーシャル効果を向上させることが可能になる。【００５０】  一方、配信要求用ＷｅｂページＲから取得したＧコードｂ１が、番組予告情報配信管理データベースＤ１に登録されていないと判定した場合には、番組情報配信制御プログラムは、携帯電話機２に表示している配信要求用ＷｅｂページＲに、例えば、「番組予告情報は未登録」の表示を行なうようにする。【００５１】  上記した本発明の実施形態の説明において、番組予告情報配信管理データベースＤ１には、チャンネル番号ｄ１設定された映像蓄積サーバのＵＲＬ（ｄ２）ごとに一つのＧコードを記憶させるようにしたが、Ｇコードを作成するときに、番組開始および終了時刻の入力データが僅かに異なると、別個のＧコードが設定される。従って、全く同一の番組である場合には、一つのチャンネル番号ｄ１に複数のＧコードを記憶する処理を行なうようにしてもよい。【００５２】  また、複数のテレビ局にチャンネル番号ｄ１を付与すると、番組予告情報配信管理データベースＤ１のメンテナンス操作等が面倒になるので、６〜１２桁程度から構成するチャンネル番号ｄ１の先頭の２〜３桁は、これらテレビ局を識別するコードを設定するようにするとよい。【００５３】  上記した本発明の番組の予告情報提供システムにおいて、管理サーバ１は、ユーザーの携帯電話機２から取得したＧコードによる配信要求の度数をカウントし、このＧコードごとのアクセス回数の情報を各テレビ局側に提供することにより、番組の人気度等に関する有益なマーケッティングも得ることができる。
【図面の簡単な説明】
【００５４】
【図１】  本発明の番組の予告情報提供システムを実施するためのシステム構成の一例を説明するための図である。
【図２】  図１に示す管理サーバが備えている番組予告情報配信管理データベースのデータ構成を説明するための図である。
【図３】  テレビ局側Ｗｅｂサーバが備えている番組情報データベースのデータ構成例を説明するための図である。
【図４】  同じく、テレビ局側Ｗｅｂサーバが備えている番組予告情報登録データベースのデータ構成例を説明するための図である。
【図５】  本発明のシステムが備えている番組表印刷手段が印刷した番組表の一例を説明するための図である。
【図６】  ユーザーの携帯電話機が管理サーバをアクセスして、番組予告情報の配信要求を行なうときに、管理サーバが携帯電話機に表示する配信要求用Ｗｅｂページの一例を説明するための図である。
【符号の説明】
【００５５】  １：管理サーバ
１ａ：端末装置
２ａ、２ｂ、２ｃ：ユーザーの携帯電話機
３ａ、３ｂ：映像蓄積サーバ
４：テレビ局側Ｗｅｂサーバ
５：番組表発行側Ｗｅｂサーバ
９：インターネット
Ｂ：テレビ番組表
Ｄ１：番組予告情報配信管理データベース
Ｄ２：番組情報データベース
Ｄ３：番組予告情報登録データベース
Ｒ：配信要求用Ｗｅｂページ
【図１】
2007135169.tif 000003
【図２】
2007135169.tif 000004
【図３】
2007135169.tif 000005
【図４】
2007135169.tif 000006
【図５】
2007135169.tif 000007
【図６】
2007135169.tif 000008